(57)【特許請求の範囲】
【請求項１】
所定周期毎にデータの再生に必要な時間管理情報が付されたヘッダ情報と共にパケット化され時分割多重されて送信された各データの中から、記録を行う一つ或いは複数の所望のデータを選択するための記録データ選択手段と、前記送信された各データのヘッダ情報と前記記録データ選択手段により選択されたデータのヘッダ情報との一致を検出する記録一致検出手段と、前記記録一致検出手段により前記各ヘッダ情報の一致が検出された場合はその対応するデータを圧縮せずに記録媒体に記録し、前記記録一致検出手段により前記各ヘッダ情報の不一致が検出された場合は、前記記録データ選択手段により選択されたデータ以外のデータに付されているヘッダ情報を検出し、そのヘッダ情報に時間管理情報が付されていない場合は、対応するデータを圧縮して記録し、そのヘッダ情報に時間管理情報が付されている場合は、その時間管理情報以外のデータを圧縮して記録媒体に記録する記録制御手段とを備える記録手段と、
前記記録媒体に記録されたデータの中から再生を行う所望のデータを選択するための再生データ選択手段と、前記記録媒体から再生された各データのヘッダ情報と前記再生データ選択手段により選択されたデータのヘッダ情報との一致を検出する再生一致検出手段と、前記再生一致検出手段により前記各ヘッダ情報の一致が検出された場合はその対応するデータを伸長せずに再生し、前記再生一致検出手段により前記各ヘッダ情報の不一致が検出された場合はその対応するデータのヘッダ情報以外の部分を伸長して再生する再生制御手段とを備える再生手段と
を有することを特徴とする記録再生装置。
【請求項２】
前記再生制御手段は、前記再生一致検出手段により前記各ヘッダ情報の不一致が検出された場合は、そのデータのヘッダ情報以外の部分を全て零のデータであるヌルデータとして再生することを特徴とする請求項１記載の記録再生装置。
【請求項３】
前記記録制御手段は、前記記録一致検出手段により前記各ヘッダ情報の不一致が検出された場合はその対応するデータのヘッダ情報以外の部分をヌルデータとすると共に、このヌルデータをランレングス圧縮処理して記録媒体に記録することを特徴とする請求項１記載の記録再生装置。
【請求項４】
前記記録手段は、各データのヘッダ情報と共に、そのデータが圧縮されたものであるか否かを示す判別データを記録するための記録テーブルを有し、前記記録制御手段は、前記記録テーブルに記録されたヘッダ情報及び各判別データを記録媒体に記録すると共に、前記記録一致検出手段により前記各ヘッダ情報の一致が検出された場合のみ、その対応するデータを圧縮せずに記録媒体に記録し、
前記再生制御手段は、前記記録媒体から再生された前記各データのヘッダ情報及び判別データに基づいて、前記記録媒体に圧縮せずに記録されたデータを伸長せずに再生し、この圧縮せずに記録されたデータ以外のデータを全て零のデータであるヌルデータとして再生すると共に、このヌルデータに、前記記録媒体から再生された対応するヘッダ情報を付加して再生することを特徴とする請求項１記載の記録再生装置。
【請求項５】
前記記録手段は、ヘッダ情報が付されて送信される付加情報を記憶するための付加情報記憶手段を有し、前記記録制御手段は、送信された付加情報をこの付加情報記憶手段に記憶制御すると共に、圧縮せずに前記記録媒体に記録し、新たに付加情報が送信される毎に、付加情報記憶手段に記憶された付加情報と、新たに送信された付加情報とを比較し、両者が一致した場合は新たに送信された付加情報を圧縮して記録し、両者が一致しなかった場合は、この新たな付加情報を付加情報記憶手段に記憶制御して更新すると共に、この新たな付加情報を記録媒体に記録することを特徴とする請求項１乃至請求項４のうちいずれか１項記載の記録再生装置。
【請求項６】
前記時分割多重化されて送信される各データには、所定の暗号化処理が施されており、この暗号化処理が施されたデータを復号化処理するための復号化データが前記データとして送信され、
前記記録制御手段は、送信された復号化データが、記録データ選択手段により選択されたデータに対応するものである場合にはこの復号化データを圧縮せずに記録し、送信された復号化データが、記録データ選択手段により選択されたデータ以外のデータに対応するものである場合にはこの復号化データを圧縮して記録することを特徴とする請求項１乃至請求項５のうちいずれか１項記載の記録再生装置。
【発明の詳細な説明】
【０００１】
【発明の属する技術分野】
本発明は、装置間での信号の送受信技術及び記録再生技術に関し、特に同軸ケーブル，光ケーブル，電話回線、さらには衛星放送等の伝送手段により伝送された映画や番組等のデジタル情報信号を受信し、その受信したデジタル情報信号を装置間で送受信するデジタル映像システム等に設けて好適な記録再生装置に関する。
【０００２】
【従来の技術】
近年、放送，通信の形態として、いわゆるＭＰＥＧ等の国際規格に代表されるデジタル方式が採用されている。これは、番組を構成する音声及び映像信号をデジタル化した後、圧縮符号化し、所定の形式でパケット化して多重伝送するものであり、従来の単一伝送チャンネル内に複数の番組をパケット単位で時分割多重して伝送することができるようになっている。また、このＭＰＥＧ規格には、番組情報等のデジタル情報の信号との多重伝送についても規定されている。
【０００３】
ここで、このように圧縮化された信号を復号化する場合、復号化速度が信号の送り側の伝送速度よりも速い場合には、データが不足して復号化することができなくなるため、送信される信号の伝送速度と、この信号の復号化速度との間に同期をとる必要がある。
【０００４】
このため、ＭＰＥＧ−１規格に続いて規格化されたＭＰＥＧ−２規格では、  「ＰＣＲ」と呼ばれる時刻基準参照値がパケットデータ中に付加されており、復号化の際には、このＰＣＲを基準にして復号用のクロック信号を復元するようになっている。従って、パケットの到着時刻は、移動することはできない。
【０００５】
一方、従来、特開平８−２９７９２２号の特許公開公報において、このようなデジタル方式で伝送されるデータから、不要な番組やデータを取り除き、所望の番組のみを記録再生するディジタル信号の記録再生方法及び装置が提案されている。
【０００６】
この方法及び装置では、前述のように時分割多重されて伝送される複数の番組（ビットストリーム）の中から所望の番組のパケットのみを順次取り出し、パケットの間隔を詰めて記録メディア上に記録するのであるが、この記録の際には、元のパケットの時間間隔を維持したまま再生することができるように、各パケットにパケット到着時刻情報をヘッダとして付加して記録するようになっている。
【０００７】
また、再生の際には、パケット到着時刻に基づいて、実際に再生するパケットの時間軸上の間隔を元に戻し記録メディア上に記録された番組のパケットを再生するようになっている。
【０００８】
【発明が解決しようとする課題】
しかし、このディジタル信号の記録再生方法及び装置では、ビットストリーム中における記録を行う全てのパケットに対して、新たに時刻情報を含むヘッダを付加する必要があった。このため、ヘッダを付加するタイミング制御や、ヘッダ分のパケットの記録タイミングの遅延制御等の複雑な回路や処理が必要となる問題がある。同様に、再生の際にも、この時刻情報に基づいて復号化用のクロック信号を復元したり、再生するパケット間隔を制御するために複雑な回路や処理が必要となる。そして、このようなことから装置の回路規模が大きく、かつ、高価となる問題があった。
【０００９】
本発明は、上述の課題に鑑みてなされたものであり、小さな回路規模で安価に実現することができ、不要な番組やデータ等を取り除き、所望の番組のみを効率よく安定に記録再生して記録メディアの記録効率の向上を図ることができるような記録再生装置の提供を目的とする。
【００１０】
【課題を解決するための手段】
本発明に係る記録再生装置は、上述の課題を解決するために所定周期毎にデータの再生に必要な時間管理情報が付されたヘッダ情報と共にパケット化され時分割多重されて送信された各データの中から、記録を行う一つ或いは複数の所望のデータを選択するための記録データ選択手段と、前記送信された各データのヘッダ情報と前記記録データ選択手段により選択されたデータのヘッダ情報との一致を検出する記録一致検出手段と、前記記録一致検出手段により前記各ヘッダ情報の一致が検出された場合はその対応するデータを圧縮せずに記録媒体に記録し、前記記録一致検出手段により前記各ヘッダ情報の不一致が検出された場合は、前記記録データ選択手段により選択されたデータ以外のデータに付されているヘッダ情報を検出し、そのヘッダ情報に時間管理情報が付されていない場合は、対応するデータを圧縮して記録し、そのヘッダ情報に時間管理情報が付されている場合は、その時間管理情報以外のデータを圧縮して記録媒体に記録する記録制御手段とを備える記録手段を有する。
【００１１】
また、この記録手段と共に、前記記録媒体に記録されたデータの中から再生を行う所望のデータを選択するための再生データ選択手段と、前記記録媒体から再生された各データのヘッダ情報と前記再生データ選択手段により選択されたデータのヘッダ情報との一致を検出する再生一致検出手段と、前記再生一致検出手段により前記各ヘッダ情報の一致が検出された場合はその対応するデータを伸長せずに再生し、前記再生一致検出手段により前記各ヘッダ情報の不一致が検出された場合はその対応するデータのヘッダ情報以外の部分を伸長して再生する再生制御手段とを備える再生手段を有する。
【００１２】
前記送信された各データのヘッダ情報と前記記録データ選択手段により選択されたデータのヘッダ情報とが一致するということは、現在受信しているデータは、記録が指定されたデータであることを示す。このため、記録制御手段は、記録一致検出手段により前記各ヘッダ情報の一致が検出された場合はその対応するデータを圧縮せずに記録媒体に記録する。
【００１３】
また、前記送信された各データのヘッダ情報と前記記録データ選択手段により選択されたデータのヘッダ情報とが不一致であるということは、現在受信しているデータは、記録が指定されていないデータであり不要なデータであることを示す。このため、記録制御手段は、記録一致検出手段により前記各ヘッダ情報の不一致が検出された場合はその対応するデータのヘッダ情報以外の部分を圧縮して記録媒体に記録する。
【００１４】
これにより、不要なデータを圧縮して記録することができることから、不要なデータにより占有される記録媒体の記録領域を最低限に抑えることができ、記録媒体の記録領域を効率的に使用することができる。
【００１５】
また、圧縮する不要なデータであっても、ヘッダ情報は圧縮せずに記録するようにしているため、元のヘッダ情報に付された時刻情報を用いて、元のビット長さのデータを再生することができる。このため、新たな時刻情報を付加したヘッダ情報を形成して各番組データに付加する必要がなく、この新たな時刻情報を付加したヘッダ情報の形成，記録及びこのヘッダ情報が付されたデータの再生に必要としていた構成複雑な処理回路等を省略することができ、当該記録再生装置の回路規模の小型化及び低価格化を図ることができる。
【００１６】
【発明の実施の形態】
以下、本発明に係る記録再生装置の好ましい実施の形態のついて図面を参照しながら詳細に説明する。
【００１７】
まず、本発明に係る記録再生装置は、図１に示すような通信衛星を用いた映像配信サービスシステムに適用することができる。
【００１８】
この本発明の第１の実施の形態の映像配信サービスシステムは、ユーザの要求等に応じて映画や番組等のデータの送信を行うセンタ装置１と、この映像配信サービスシステムに加入したユーザに対して貸与される端末装置２と、センタ装置１から端末装置２に対して送信されたデータの中継を果たす通信衛星３とで構成されている。
【００１９】
センタ装置１は、映画や番組等のデータ（以下、番組データという。）を伝送するソフト供給センタ４と、電話回線１４を介してユーザ側の端末装置２と接続され、ユーザからの要求に応じた番組データの伝送を制御するオペレーションセンタ５と、オペレーションセンタ５による制御に応じてソフト供給センタ４からの番組データを配信制御する番組配信センタ６と、この番組配信センタ６により配信制御された番組データを通信衛星３に向けて送信する送信部７とで構成されている。
【００２０】
なお、この図１には、ソフト供給センタ４を１つのみ示したが、実際には複数のソフト供給センタが存在しており、ユーザは、この各センタから番組データの供給を受けるようになっている。
【００２１】
ユーザ側に設けられる端末装置２は、通信衛星３を介して配信されたセンタ装置１側からの番組データを受信する受信部１０と、この受信部１０で受信した番組データのデータ処理を行いテレビジョン受像機９に供給する端末本体８とで構成されている。
【００２２】
端末本体８は、電話回線１４を介してセンタ装置１のオペレーションセンタ５に接続された電話機及び通信モデムである電話／モデム１１と、受信部１０で受信された番組データをデコードしてテレビジョン受像機９に供給するレシーバデコーダ１２と、レシーバデコーダ１２によりデコードされた番組データを、例えばハードディスクや光磁気ディスク等の記録メディアに記録し再生する記録再生部１３とで構成されている。
【００２３】
なお、この図１では、端末装置２を１つのみ示したが、実際には複数の加入者の端末装置が存在している。
【００２４】
次にこのような構成を有する当該実施の形態の映像配信サービスシステムの動作説明をする。
【００２５】
まず、センタ装置１に設けられている番組配信センタ６は、詳細には図２に示すような構成を有しており、ソフト供給センタ４からの番組データが入力端子２０を介して受信処理回路２２に供給され、オペレーションセンタ５からの制御データが入力端子２１を介して番組制御回路２３に供給されるようになっている。
【００２６】
ソフト供給センタ４からの番組データは、光ファイバ，同軸ケーブル或いは衛星等の通信手段を用いて供給されるようになっている。また、場合によっては、ＶＴＲカセット，光ディスク，磁気ディスク等の蓄積メディアの輸送による場合もある。
【００２７】
前記通信手段により番組データの供給がなされた場合、受信処理回路２２は、入力端子２０を介して供給されるこの番組データに、必要に応じて復調処理，誤り訂正処理，ビット伸長処理等の処理を施し、これを例えばデジタルビデオテープレコーダ（ＤＶＴＲ），光ディスク（光磁気ディスク等も含む），磁気ディスク等の記録再生機能を有する蓄積メディア２４に供給して一旦保存すると共に、切替スイッチ２５に供給する。
【００２８】
切替スイッチ２５には、受信処理回路２２からの番組データとは別に、前記ＶＴＲカセット等の蓄積メディアの輸送により番組データの供給がなされた場合において、該輸送された蓄積メディア２６から読み出された番組データが供給されるようになっている。切替スイッチ２５は、前記各場合に応じて、受信処理回路２２からの番組データ或いは蓄積メディア２６から読み出された番組データを選択し、これをビット圧縮回路２７に供給する。
【００２９】
ビット圧縮回路２７は、例えばＭＰＥＧ−２規格に応じて番組データを圧縮符号化し、供給された番組データを伝送に必要なデータ量に低減する。そして、この圧縮符号化した番組データを、例えばデジタルビデオテープレコーダ（ＤＶＴＲ），光ディスク（光磁気ディスク等も含む），磁気ディスク等の記録再生機能を有する蓄積メディア２８に供給する。
【００３０】
なお、ソフト供給センタ４から予め圧縮符号化されたデータが供給される場合には、このビット圧縮回路２７を省略することもできる。
【００３１】
一方、オペレーションセンタ５からの制御データが入力端子２１を介して番組制御回路２３に供給されると、番組制御回路２３は、この制御データを前記蓄積メディア２４，２８及び送信処理回路２９に供給する。
【００３２】
具体的には、前記制御データが前記通信手段により供給された番組データの送信を示すものであれば、番組制御回路２３は蓄積メディア２４を再生制御する。この蓄積メディア２４の再生制御により再生された番組データは、ビット圧縮回路３０により、例えばＭＰＥＧ−２規格に基づいて圧縮符号化され、伝送に必要なデータ量に低減され送信処理回路２９に供給される。
【００３３】
また、前記制御データが前記輸送された蓄積メディア２６から読み出された番組データの送信を示すものであれば、番組制御回路２３は蓄積メディア２８を再生制御する。この蓄積メディア２８の再生制御により再生された番組データは、送信処理回路２９に供給される。
【００３４】
送信処理回路２９は、図３に示すような構成を有しており、前記圧縮符号化された番組データは、各入力端子３５を介して対応する暗号化回路３６にそれぞれ供給される。暗号化回路３６は、供給された番組データに所定の暗号化処理を施し、これを時分割多重化回路３７に供給する。
【００３５】
なお、この番組データがユーザ側に配信される際には、視聴権利制御情報，番組ガイド情報等の付属情報が付加され、該番組データと共に配信されるようになっている。このため、この付属情報にも前記暗号化処理を施すようにしてもよい。
【００３６】
時分割多重回路３７は、各番組データを所定フォーマットとなるようにパケット化することで時間軸方向に圧縮する。そして、入力端子４１を介して番組制御回路２３から供給される選択データにより、圧縮した各番組データを選択することにより、該各番組データを多重化し、これを誤り訂正符号付加回路３８に供給する。
【００３７】
誤り訂正符号付加回路３８は、衛星回線、ＣＡＴＶ回線等でノイズにより生じる伝送誤りを訂正するための誤り訂正符号を付加し、これを変調回路３９に供給する。変調回路３９は、所定チャンネル分の番組データを単一のキャリアで変調処理することで１つの伝送チャンネルを形成し、これを出力端子４０を介して図２に示す送信部７に供給する。送信部７は、この番組データを図１に示す通信衛星３を介してユーザの端末装置２側に配信する。
【００３８】
なお、ソフト供給センタ４から供給された番組データを直ちに送出する場合には、蓄積メディア２４に一旦記録した番組データを再生して出力するのではなく、必要に応じて蓄積メディア２４に記録しながら蓄積メディア２４に供給する番組データをビット圧縮装置回路３０に供給するようにしてもよい。
【００３９】
また、ソフト供給センタ４から予め圧縮符号化された番組データを番組配信センタに供給することにより、ビット圧縮回路２７，３０を省略することができる。
【００４０】
また、図２には送信処理回路２９への番組データの入力経路が２つであるように示しているが、これは、実際には蓄積メディア２４，２８、ビット圧縮回路２７，３０及び送信処理回路２９からなる送信ユニットが複数設けられており、複数の伝送チャンネルでの番組データの送信が可能となっている。
【００４１】
ここで、番組配信センタ６としては、図２に示した構成のものの他に、図４に示す構成のものを設けることができる。
【００４２】
すなわち、この図４に示す番組配信センタ６において、ソフト供給センタ４からの番組データは入力端子４５を介して蓄積媒体制御部４７に供給され、オペレーションセンタ５からの制御データが入力端子４６を介して番組制御回路４８に供給されるようになっている。
【００４３】
番組制御回路４８は、供給される制御データに基づいて、いずれかの蓄積メディア４９に番組データを一旦記憶するように蓄積媒体制御部４７を制御すると共に、この蓄積メディア４９に記憶された番組データを読み出し制御する。蓄積メディア４９から読み出された番組データは、各蓄積メディア４９に対応して設けられているビット圧縮回路５０に供給され、前述と同様にＭＰＥＧ−２規格に基づいた圧縮符号化処理が施され送信処理回路５１に供給される。
【００４４】
この送信処理回路５１に番組データが供給されると、番組制御回路４８は、番組情報発生部５２を介して圧縮符号化処理された番組データを選択するように送信処理回路５１を選択制御する。これにより、送信部５３に、送信処理回路５１により選択された番組データが供給され、前述と同様に通信衛星３を介してユーザの端末装置２側に配信される。
【００４５】
次に、このように通信衛星３を介して配信された番組データは、図１に示す端末装置２に設けられている受信部１０により受信され、端末本体８内のレシーバデコーダ１２に供給される。
【００４６】
レシーバデコーダ１２は、図５に示す構成を有しており、電話／モデム１１を介してオペレーションセンタ５に、所望の番組の配信を要求するための要求信号や、有料放送の受信状況を知るための信号のやり取りをするための入出力端子５５を有している。この入出力端子５５を介して前記要求信号がオペレーションセンタ５に伝送されることにより、ユーザが所望する番組データが前述のように配送され、前記受信部１０により受信され入力端子５６を介してチューナ５７に供給されるようになっている。
【００４７】
チューナ５７は、制御回路５８からの制御データに応じて選局動作を行うことにより、ユーザが所望する伝送チャンネルを選択する。
【００４８】
具体的には、この選択された伝送チャンネルは、例えば図６（ａ）に示すように番組Ａ〜番組Ｄの計４つの番組データで形成されている。一般的には、各番組Ａ〜番組Ｄの各番組データの伝送レートはそれぞれ異なっており、瞬時的に見た場合にはデータ量の変動がある。これを効率よく制御するために、番組Ａ〜番組Ｄの各番組データは、それぞれ先頭にヘッダ情報（パケット識別子：ＰＩＤ）が付されパケット化され時分割多重されている。
【００４９】
なお、前述のように各パケット内の番組データは、必要に応じて暗号化されており、また、番組ガイド情報や視聴権利関係の情報もパケット形式で時分割多重されている。
【００５０】
チューナ５７は、このような伝送チャンネルを選択すると、各番組データに施されている変調処理に対応する復調処理を施し、これを誤り訂正回路５９に供給する。誤り訂正回路５９は、各番組データに付加された誤り訂正符号に基づいて伝送エラー等の誤り訂正を行い、これをインターフェース部６１及び選択スイッチ６０に供給する。
【００５１】
選択スイッチ６０は、制御回路５８からの制御データにより選択制御されるようになっており、受信した番組データを復元する場合には誤り訂正回路５９からの番組データを選択し、記録再生部１３からの再生出力を復元する場合には、インターフェース部６１からの番組データを選択し、それぞれ番組分割回路６３に供給する。
【００５２】
番組分割回路６３は、１つの伝送チャンネルに図２或いは図４に示した送信処理回路２９，５１により時分割多重された複数の番組の中から、制御回路５８からの制御データに基づいて、ユーザが所望する番組の番組データを選択し、これを暗号復号回路６４に供給する。
【００５３】
暗号復号回路６４は、送信処理回路２９，５１内の暗号化回路３６（図３）により暗号化された番組データを復号化し、これを復号化回路６５に供給する。復号化回路６５は、図２及び図４に示すビット圧縮回路２７，３０，５０或いは図１に示すソフト供給センタ４で施されたビット圧縮処理に対応するビット伸長処理を前記番組データに施して復号化し、これを出力処理回路６６に供給する。
【００５４】
出力処理回路６６は、この番組データを、例えばＮＴＳＣ方式のテレビジョンフォーマットに変換し、これを出力端子６７を介して図１に示すテレビジョン受像機９に供給する。これにより、ユーザのリクエストに応じてセンタ装置１側から配信される番組の映像をテレビジョン受像機９に表示することができる。
【００５５】
なお、この図５に示すレシーバデコーダ１２では、暗号復号回路６４は、番組分割回路６３の後段に設けられていることとしたが、これは、番組分割回路６３の前段に暗号復号回路６４を設け、番組データの暗号復号化を行った後に番組の分割処理を行うようにしてもよい。
【００５６】
一方、誤り訂正回路５９からインターフェース部６１に供給された前記伝送チャンネルの番組データは、入出力端子６２を介して図１に示す記録再生部１３に供給される。
【００５７】
この記録再生部１３の記録部は図７に示す構成を有しており、前記インターフェース部６１及び入出力端子６２を介して出力された前記伝送チャンネルの番組データは、入力端子７１を介してパケットデータ圧縮部７２及びパケットヘッダ検出部７３に供給される。
【００５８】
パケットヘッダ検出部７３は、供給された伝送チャンネルの各番組データの各パケットのヘッダ情報を検出し、このヘッダ情報に含まれるパケット識別子（ＰＩＤ）を一致検出回路７６に供給する。ＰＩＤレジスタ７５には、記録の選択をした番組の番組ガイド情報及び視聴権利関係情報等のＰＩＤが予め記憶されており、一致検出回路７６は、この予め記憶されているＰＩＤと、パケットヘッダ検出部７３により抽出されたＰＩＤとを比較し、この比較出力を制御回路７４に供給する。
【００５９】
制御回路７４は、前記両者が一致したことを示す比較出力が供給された場合は、その番組データの圧縮を行わないようにパケットデータ圧縮部７２を制御する。また、制御回路７４は、前記両者が一致しなかったことを示す比較出力が供給された場合は、その番組データを圧縮するようにパケットデータ圧縮部７２を制御する。
【００６０】
具体的には、図６（ａ）に示したように番組Ａ〜番組Ｄのうち、ユーザにより番組Ｂが選択されたとすると、この番組ＢのＰＩＤがＰＩＤレジスタ７５にロードされる。一致検出回路７６は、パケットヘッダ検出部７３から順次供給されるＰＩＤと、ＰＩＤレジスタ７５にロードされたＰＩＤとを比較する。そして、制御回路７４が、この比較出力を基に番組ＢのＰＩＤの一致が検出された場合には、その番組ヘッダ以外のデータ（ペイロード部分）を圧縮しないようにパケットデータ圧縮部７２を制御し、両者が一致しないことを示す比較出力が検出された場合にはその番組データのうち、番組ガイド情報，視聴権利関係情報以外のデータを圧縮するようにパケットデータ圧縮部７２を制御する。
【００６１】
これにより、図６（ｂ）に示すようにこの場合においてユーザが所望する番組Ｂ以外の不要な番組である番組Ａ，番組Ｃ，番組Ｄのヘッダ情報以外のデータ部分（ペロード）が同図（ｂ）中左斜線で示すように圧縮され、番組Ｂの番組データのみが圧縮されることなく出力されることとなる。
【００６２】
この圧縮された番組データ或いは非圧縮の番組データは、出力端子７７を介して図示しない記録ヘッドに供給され、例えばハードディスク，光磁気ディスク，ビデオテープ等の記録媒体に記録される。これにより、ユーザが所望する番組Ｂ以外の不要な番組を最低限のデータ量に圧縮して記録し、ユーザが所望する番組Ｂの番組データは圧縮することなく記録媒体に記録することができる。このため、複数の番組が多重化された番組データを記録する場合でも、不要な番組により占有される記録媒体の記録領域を最低限のものとすることができ、記録媒体の記録効率の向上を図ることができる。
【００６３】
また、圧縮する番組データであっても、番組ガイド情報，視聴権利関係情報等の再生に必要なデータは圧縮せず、これ以外のデータを圧縮するようにしているため、従来のように時刻情報を含む新たなヘッダ情報を形成して付加する必要がなく、この新たなヘッダ情報の付加，記録及び再生等の処理に必要となる構成複雑な回路を不要とすることができ、回路規模の小型化及び低価格化を図ることができる。
【００６４】
なお、この例においては、記録する番組を１つのみ指定することとしたが、これは、複数の番組を指定してそれぞれ記録するようにしてもよい。
【００６５】
また、番組データのうち、番組ガイド情報，視聴権利関係情報等の再生に必要なデータ以外のデータを圧縮することとしたが、これは、番組ガイド情報，視聴権利関係情報等の再生に必要なデータ以外のデータの代わりにヌルデータ（オール零データ）であることを示すデータを付加するようにしてもよい。このヌルデータであることを示すデータは、例えばヘッダ情報に設けられているリザーブ領域（予備領域）にフラグを立てることにより付加する。これにより、番組ガイド情報，視聴権利関係情報等の再生に必要なデータ以外のデータを圧縮するよりも、記録媒体に記録するデータ量を各段に低減することができ（番組ガイド情報，視聴権利関係情報等の再生に必要なデータと、前記フラグのみ）、記録媒体の記録効率の向上を、より顕著なものとすることができる。
【００６６】
次に、このように記録された伝送チャンネルの番組データを再生する記録再生部１３の再生部は図８に示すような構成を有しており、前記記録媒体に記録された図６（ｂ）に示すような伝送チャンネルの番組データが、図示しない再生ヘッドにより再生され入力端子８１を介してパケットデータ伸長回路８２及びパケットヘッダ検出回路８３に供給される。
【００６７】
パケットヘッダ検出回路８３は、供給された各番組データのヘッダ情報を検出し、このヘッダ情報に含まれるパケット識別子（ＰＩＤ）を一致検出回路８６に供給する。ＰＩＤレジスタ８５には、再生の選択をした番組の番組ガイド情報及び視聴権利関係情報等のＰＩＤが予め記憶されており、一致検出回路８６は、この予め記憶されているＰＩＤと、パケットヘッダ検出部８３により抽出されたＰＩＤとを比較し、この比較出力を制御回路８４に供給する。
【００６８】
前述のように、ユーザの指定により記録された番組データは、番組Ｂのデータである。そして、この番組Ｂの番組データ以外の番組データが圧縮されている。このため、制御回路８４は、前記両者が一致したことを示す比較出力が供給された場合は、その番組データ（この場合、番組Ｂの番組データ）の伸長を行わないようにパケットデータ伸長部８２を制御する。また、制御回路８４は、前記両者が一致しなかったことを示す比較出力が供給された場合は、その番組データ（この場合、番組Ｂ以外の番組データ）を伸長するようにパケットデータ圧縮部８２を制御する。
【００６９】
これにより、図６（ｃ）に示すように番組Ａ〜番組Ｄの各番組データからなる伝送チャンネルの全番組データを再生することができる。この番組データは、図５に示す入出力端子６２，インターフェース部６１及び選択スイッチを介して番組分割回路６３に供給される。そして、前述のようにこの番組分割回路６３によりユーザにより指定された番組の番組データ（この場合、番組Ｂの番組データ）が抽出され、暗号復号回路６４，復号回路６５，出力処理回路６６及び出力端子６７を介して図１に示すテレビジョン受像機９に供給される。これにより、テレビジョン受像機９に記録再生部１３で再生された番組（この場合、番組Ｂ）の映像を表示することができる。
【００７０】
なお、番組データを圧縮する代わりに番組ガイド情報，視聴権利関係情報等の再生に必要なデータ以外のデータの代わりにヌルデータであることを示すフラグが立てられている場合は、制御回路８４は、このフラグに基づいて、その番組のデータ量分のヌルデータ（オール０データ）を形成し、このヌルデータにより本来のデータの埋め合わせを行う。従って、このフラグを立てた場合であっても、圧縮前後の伝送チャンネルのビットストリーム長は変わらないこととなる。この場合は、再生される番組のうち番組Ｂ以外の番組はヌルデータとなり再生することはできないが、これらはユーザが記録を希望しなかった番組であるため何等問題はない。
【００７１】
以上の説明から明らかなように、当該第１の実施の形態の映像配信サービスシステムは、ユーザ側の端末装置２において、番組データの記録を行う場合は、伝送チャンネルの各番組データのうち、ユーザにより指定された番組の番組データはそのまま記録すると共に、指定された番組以外の番組の番組データを圧縮して記録することにより、伝送チャンネルを構成するデータのうち、不要なデータの記録を極力抑えることができ、記録媒体の記録効率の向上を図ることができる。
【００７２】
また、圧縮する番組データであっても、番組ガイド情報，視聴権利関係情報等の再生に必要なデータは圧縮せず、これ以外のデータを圧縮するようにしているため、従来のように時刻情報を含む新たなヘッダ情報を形成して付加する必要がなく、この新たなヘッダ情報の付加及び処理等に必要となる構成複雑な回路や処理を不要とすることができ、回路規模の小規模化及び低価格化を図ることができる。
【００７３】
次に、本発明の第２の実施の形態の映像配信サービスシステムの説明をする。
【００７４】
上述の第１の実施の形態の映像配信サービスシステムは、端末装置２側の記録再生部１３において、記録及び再生の際に、各番組データのＰＩＤの一致を検出し、圧縮或いは非圧縮の記録及び再生を行うものであったが、この第２の実施の形態の映像配信サービスシステムは、記録の際に、圧縮して記録した番組データと圧縮せずに記録した番組データとを判別するための判別データをテーブルに書き込んでおき、再生の際にこのテーブルを参照して再生を行うことにより、再生部のＰＩＤレジスタ及び一致検出回路の省略を可能としたものである。
【００７５】
なお、この第２の実施の形態の映像配信サービスシステムは、この点のみが第１の実施の形態の映像配信サービスシステムと異なるため、以下の説明では、この異なる点である記録再生部の動作にのみ言及し、重複説明を省略することとする。また、図７及び図８に示した記録再生部と同じ動作を示す箇所にはそれと同じ符号を付し、重複説明を省略することとする。
【００７６】
すなわち、この第２の実施の形態の映像配信サービスシステムの記録再生部１３の記録部は、図９に示すようにパケットデータ圧縮部７２，パケットヘッダ検出部７３，制御回路７４，ＰＩＤレジスタ７５，一致検出回路７６と共に、ユーザにより選択された番組データのＰＩＤに対する一致或いは不一致を示す判別データが記録されるテーブル７８が設けられている。
【００７７】
このような記録部において、ＰＩＤレジスタ７５には、ユーザにより選択された番組に対応する番組ガイド情報や視聴権利関係情報等のＰＩＤが記憶され、入力端子７１からは、図１２（ａ）に示すような番組Ａ〜番組Ｄの伝送チャンネルの各番組データが供給される。パケットヘッダ検出回路７３は、各番組データのヘッダ情報を検出し、このヘッダ情報に含まれるＰＩＤを抽出して一致検出回路７６に供給する。一致検出回路７６は、この抽出されたＰＩＤと、ＰＩＤレジスタ７５に記憶されているユーザにより選択された番組のＰＩＤと比較し、この比較出力を制御回路７４に供給する。
【００７８】
制御回路７４は、前記両者が一致しないことを示す比較出力が供給された場合は、その番組はユーザにより選択されていないものであるため、テーブル７８内の対応する領域にその番組データのヘッダ情報を記録制御すると共に、例えば  「０」の判別データ（属性値）を記録制御する。また、このユーザにより選択されていない番組データを出力しないようにパケットデータ圧縮部７２を停止制御する。
【００７９】
この逆に、前記両者が一致したことを示す比較出力が供給された場合は、その番組はユーザにより選択されたものであるため、テーブル７８内の対応する領域にその番組データのヘッダ情報を記録制御すると共に、例えば「１」の判別データを記録制御する。また、このユーザにより選択された番組データを出力するようにパケットデータ圧縮部７２を駆動制御する。
【００８０】
これにより、テーブル７８には、図１１に示すように各番組データのヘッダ情報と共に、その属性（ユーザによる選択の有無）を示す判別データが記録される。そして、図１２（ｂ）に示すようにユーザにより選択された番組の番組データのみが圧縮されて出力端子７７を介して出力されることとなる。
【００８１】
この出力端子７７を介して出力された番組データは、記録媒体に記録されるのであるが、この際、制御回路７４は、テーブル７８に記憶した各番組のヘッダ情報及び各判別データを読み出し、これを前記番組データと共に記録媒体に記録制御する。
【００８２】
具体的には、制御回路４７は、テーブル７８に記憶した各番組のヘッダ情報及び各判別データを、圧縮して記録した番組データの後段に各番組のヘッダ情報を記録制御すると共に、この各ヘッダ情報の予備領域（リザーブ領域）に「１」又は「０」のフラグである各判別データを記録制御する。これにより、各番組のヘッダ情報及び各判別データを、ユーザにより選択された番組データに重畳させたかたちで記録制御することができる。
【００８３】
或いは、圧縮して記録した番組データの後段ではなく、該番組データの前段に各番組のヘッダ情報及び各判別データを記録制御するようにしてもよい。この場合は、制御回路４７は、圧縮した番組データの記録が終了した後に、この圧縮して記録した番組データの前段に記録位置を戻して、前記ヘッダ情報等を記録制御する。
【００８４】
或いは、記録媒体が光ディスクや磁気ディスク等の円盤状記録媒体である場合は、ユーザＴＯＣ(テーブル・オブ・コンテンツ) 等にファイルのかたちで記録制御するようにしてもよい。
【００８５】
次に、このように記録媒体に記録された番組データ，各ヘッダ情報及び各判別データは、図１０に示すような記録再生部１３の再生部により再生される。
【００８６】
この図１０において、入力端子８１を介しては、図示しない再生ヘッドにより記録媒体から再生された番組データ，各ヘッダ情報及び各判別データが供給され、これらがパケットデータ伸長回路８２及びパケットヘッダ検出回路８３に供給される。
【００８７】
パケットヘッダ検出回路８３は、供給されるデータの中から各番組データの各ヘッダ情報及び判別データを検出し、これを制御回路８４に供給する。制御回路８４は、この各ヘッダ情報及び判別データをテーブル８８に記憶制御する。
【００８８】
また、パケットヘッダ検出回路８３は、供給されるデータの中から各番組データの各ヘッダ情報を検出し、これを制御回路８４に供給する。制御回路８４は、各ヘッダ情報が供給されると、前記テーブル８８を参照し、現在供給されたヘッダ情報の判別データを検出する。そして、この判別データが「０」であった場合、すなわち、現在のヘッダ情報に対応する番組データは、ユーザにより選択されたものではない場合は、そのヘッダ情報の後段に、例えばヌルデータ等のダミーデータを付加して出力するようにパケットデータ伸長回路８２を制御する。
【００８９】
この逆に、前記判別データが「１」であった場合、すなわち、現在のヘッダ情報に対応する番組データは、ユーザにより選択されたものである場合は、そのヘッダ情報及び番組データをそのまま出力するようにパケットデータ伸長回路８２を制御する。
【００９０】
これにより、この再生部の出力端子８７を介して、図１２（ｃ）に示すような番組Ａ〜番組Ｄの伝送チャンネルの番組データを再生して出力することができる。
【００９１】
以上の説明から明らかなように、この第２の実施の形態の映像配信サービスシステムは、記録再生部１３の記録部において、各番組のヘッダ情報及びユーザによる選択の有無を示す判別データをテーブル７８に記憶しておき、これらをユーザにより選択された番組データと共に記録媒体に記録し、再生時にこの記録媒体から読み出された判別データに基づいて、その番組データがユーザにより選択されたものであるか否かを判別し、ユーザにより選択されたものである場合はそのまま再生し、ユーザにより選択されたものでない場合は、そのヘッダ情報にヌルデータ等のダミーデータを付加して再生する。
【００９２】
これにより、再生部が必要としていたＰＩＤレジスタ及び一致検出回路を、図１０に示すように省略して回路構成の簡略化を図ることができる他、上述の第１の実施の形態の映像配信サービスシステムと同様の効果を得ることができる。
【００９３】
次に、本発明の第３の実施の形態の映像配信サービスシステムの説明をする。
【００９４】
上述の第１の実施の形態の映像配信サービスシステムは、端末装置２側の記録再生部１３において、記録及び再生の際に、各番組データのＰＩＤの一致を検出し、圧縮或いは非圧縮の記録及び再生を行うものであったが、この第３の実施の形態の映像配信サービスシステムは、記録の際に、ユーザにより選択された番組データはランレングス圧縮せずに記録すると共に、ユーザにより選択されなかった番組データはヘッダ情報以外の番組データをランレングス圧縮して記録することで、再生の際に必要としていたＰＩＤレジスタ及び一致検出回路の省略を可能としたものである。
【００９５】
なお、この第３の実施の形態の映像配信サービスシステムは、この点のみが第１の実施の形態の映像配信サービスシステムと異なるため、以下の説明では、この異なる点である記録再生部の動作にのみ言及し、重複説明を省略することとする。また、図７及び図８に示した記録再生部と同じ動作を示す箇所にはそれと同じ符号を付し、重複説明を省略することとする。
【００９６】
すなわち、この第３の実施の形態の映像配信サービスシステムの記録再生部１３の記録部は、図１３に示すようにパケットヘッダ検出部７３，制御回路７４，ＰＩＤレジスタ７５，一致検出回路７６と共に、ヌルデータを生成するヌルデータ生成回路９０と、ランレングス圧縮を行うランレングス圧縮回路９２と、ＰＩＤに応じてヌルデータ生成回路９０からのヌルデータ或いは入力端子７１を介して供給される番組データを選択してランレングス圧縮回路９２に供給する選択スイッチ９１とを有している。
【００９７】
このような記録部において、図１５（ａ）に示す番組Ａ〜番組Ｄの各番組データからなる伝送チャンネルのうち、ユーザにより記録する番組として番組Ｂが選択されていると仮定して説明を進めると、まず、入力端子７１を介して供給される伝送チャンネルの各番組データは、選択スイッチ９１及びパケットヘッダ検出回路７３に供給される。
【００９８】
パケットヘッダ検出回路７３は、伝送チャンネルの各番組データのヘッダを検出し、これを制御回路７４及び一致検出回路７６に供給する。この場合、ユーザにより、番組Ｂが選択された時点でＰＩＤレジスタ７５には、この番組ＢのＰＩＤがロードされており、一致検出回路７６は、このＰＩＤレジスタ７５にロードされたＰＩＤと、パケットヘッダ検出回路７３により検出された各番組データのヘッダ情報のＰＩＤとを比較し、この比較出力を制御回路７４に供給する。
【００９９】
制御回路７４は、一致検出回路７６から前記両者が不一致であることを示す検出出力が供給されると、その番組データのヘッダ情報を選択してランレングス圧縮回路９２に供給すると共に、このヘッダ情報以外のデータとしてヌルデータ生成回路９０からのヌルデータを選択してランレングス圧縮回路９２に供給するように選択スイッチ９１を選択制御する。
【０１００】
この逆に、制御回路７４は、一致検出回路７６から前記両者が一致したことを示す検出出力が供給されると、ヘッダ情報及びパケット本体（ペイロード）がランレングス圧縮回路９２に供給されるように選択スイッチ９１を選択制御する。これにより、ランレングス圧縮回路９２には、図１５（ｂ）に示すようにユーザにより選択された番組Ｂの番組データと、ヘッダ情報以外のデータがヌルデータとされた番組Ａ，番組Ｃ及び番組Ｄの各番組データとからなる伝送チャンネルの番組データが供給されることとなる。
【０１０１】
そして制御回路７４は、この伝送チャンネルの各番組データのうち、ヘッダ以外がヌルデータとなったものについてヌルデータの部分をランレングス圧縮処理するようにランレングス圧縮回路９２を制御する。これにより、出力端子７７を介して、図１５（ｃ）に示すようなヌルデータのみがランレングス圧縮処理された伝送チャンネルの各番組データが出力され、記録媒体に記録されることとなる。
【０１０２】
また、制御回路７４は、これと共に、ランレングス圧縮処理を施したヌルデータに対応するヘッダ情報のＰＩＤに、このランレングス圧縮処理を施したことを示すフラグを立てる。
【０１０３】
次に、このように記録媒体に記録された伝送チャンネルの各番組データは、図示しない再生ヘッドにより再生され、図１４に示す記録再生部１３の再生部の入力端子８１を介してランレングス伸長回路９３及びパケットヘッダ検出回路８３に供給される。
【０１０４】
パケットヘッダ検出回路８３は、前記伝送チャンネルの各番組データのヘッダ情報を検出し、この検出出力を制御回路８４に供給する。制御回路８４は、パケットヘッダ検出回路８３からの検出出力に基づいてヘッダ情報内のＰＩＤを検出する。
【０１０５】
前述のように、伝送チャンネルの各番組データのうち、ランレングス圧縮処理されたデータはヌルデータのみである。このため、制御回路８４は、ヘッダ情報内のＰＩＤが、ランレングス圧縮処理を施したことを示すものであった場合にのみ、ランレングス伸長回路９３にヌルデータが供給されるタイミングでランレングス伸長処理を施すようにランレングス伸長回路９３を制御する。
【０１０６】
これにより、図１５（ｄ）に示すようにユーザにより選択された番組Ｂの番組データと、各ヘッダ情報及びヌルデータとされたペイロードを有する番組Ａ，番組Ｃ及び番組Ｄの各番組データとからなる伝送チャンネルが再生され出力端子８７を介して出力される。
【０１０７】
以上の説明から明らかなように、当該第３の実施の形態の映像配信サービスシステムは、ユーザにより選択された番組以外の番組のペイロードをヌルデータとし、このヌルデータ部分のみをランレングス圧縮すると共に、このランレングス圧縮を施した番組データのヘッダ情報のＰＩＤにフラグを立てて記録し、再生時には、このＰＩＤにフラグが立っているデータのみをランレングス伸長処理して再生することにより、再生の際に必要としていたＰＩＤレジスタ及び一致検出回路を省略することができる他、上述の第１の実施の形態の映像配信サービスシステムを同じ効果を得ることができる。
【０１０８】
次に、本発明の第４の実施の形態の映像配信サービスシステムの説明をする。
【０１０９】
上述の各実施の形態の映像配信サービスシステムにおいては、伝送チャンネルは、例えば番組Ａ〜番組Ｄの番組データのみから形成されていることとしたが、実際には、この伝送チャンネルは、各番組の番組データの他に図１８（ａ）に示すように番組ガイド情報等のデータ（付加情報）も同様にパケットとして重畳されている場合が多い。そして、この番組ガイド情報としては、同じ内容のものが繰り返し複数回重畳されている場合が多く、これを全て番組データと共に記録したのでは記録媒体の記録領域を効率的に活用することができない。なお、以下、この付加情報を番組ガイド情報に例えて説明を行う。
【０１１０】
当該第４の実施の形態の映像配信サービスシステムは、この番組ガイド情報の記録を最小限に抑え、記録媒体の記録効率の向上を図ったものである。
【０１１１】
なお、この第４の実施の形態の映像配信サービスシステムは、番組ガイド情報の記録を最小限に抑えるために、記録再生部１３の構成が特徴的なものとなっており、他の構成は上述の第１の実施の形態の映像配信サービスシステムと同様である。このため、以下の説明では、この異なる点である記録再生部の動作にのみ言及し、重複説明を省略することとする。
【０１１２】
すなわち、この第４の実施の形態の映像配信サービスシステムの記録再生部１３の記録部は、図１６に示すように前記パケットデータ圧縮部７２，パケットヘッダ検出回路７３，制御回路７４，ＰＩＤレジスタ７５，一致検出回路７６に加え、伝送チャンネル内の番組ガイド情報を記憶するメモリ９５を有している。
【０１１３】
このような記録部には、入力端子７１を介して図１８（ａ）に示すような番組ガイド情報，番組Ａの番組データ，番組ガイド情報，番組Ｂの番組データの各パケット１〜４からなる伝送チャンネルが供給される。この各番組ガイド情報は、それぞれ同じ内容となっている。
【０１１４】
例えば、この伝送チャンネルの中からユーザが番組Ａ及び番組Ｂの両方を記録する番組として選択したとすると、ＰＩＤレジスタ７５には、この番組Ａ及び番組ＢのＰＩＤがロードされる。
【０１１５】
パケットヘッダ検出回路７３は、入力端子７１を介して供給された伝送チャンネルの各番組ガイド情報及び番組データに付されているヘッダ情報を検出し、この検出出力を一致検出回路７６に供給する。一致検出回路７６は、パケットヘッダ検出回路７３により検出されたヘッダ情報と、ＰＩＤレジスタ７５にロードされているヘッダ情報とを比較し、この比較出力を制御回路７４に供給する。
【０１１６】
前述のように、この場合においては、ユーザにより番組Ａ及び番組Ｂの両方の番組が選択されている。このため、制御回路７４は、前記両者が一致したことを示す比較出力が供給された場合は、入力端子７１を介して現在供給されているデータは番組Ａ或いは番組Ｂの番組データであることを示すため、これを圧縮せずに出力するようにパケットデータ圧縮部７２を制御する。
【０１１７】
また、制御回路７４は、前記両者が不一致であることを示す比較出力が最初に供給された場合は、入力端子７１を介して現在供給されているデータは番組ガイド情報であることを示すため、制御回路７４は、この番組ガイド情報をメモリ９５に記憶制御すると共に、その番組ガイド情報を圧縮することなくそのまま出力するようにパケットデータ圧縮回路７２を制御する。
【０１１８】
ここで、このようにメモリ９５に番組ガイド情報が記憶されると、次に前記両者が不一致であることを示す比較出力が供給された際には、メモリ９５には既に番組ガイド情報が記憶されていることとなる。このため、制御回路７４は、次に前記両者が不一致であることを示す比較出力が供給された際に、メモリ９５に、番組ガイド情報が既に記憶されていた場合は、その内容に変更がないか否かを判別する。そして、内容に変更がない場合には、その番組ガイド情報をヘッダ情報と共に圧縮するようにパケットデータ圧縮回路７２を制御する。また、内容に変更があった場合には、その番組ガイド情報をメモリ９５に記憶制御して、該メモリ９５の内容を更新すると共に、その番組ガイド情報を圧縮することなくそのまま出力するようにパケットデータ圧縮回路７２を制御する。
【０１１９】
これにより、図１８（ｂ）に示すように伝送チャンネルに含まれる同じ内容の番組ガイド情報の一方（時間的に後に伝送された番組ガイド情報）を圧縮することができる。このような伝送チャンネルの各データは、出力端子７７を介して出力され記録媒体に記録される。この記録媒体に記録されるデータは、同じ内容の番組ガイド情報の一方がヘッダ情報と共に圧縮されたものとなっている。このため、図１８（ｃ）に圧縮した番組ガイド情報の記録領域を擬似的に省略して示すように、重複した番組ガイド情報により記録媒体の記録領域が占有される不都合を防止することができ、記録媒体の記録領域を効率的に使用することができる。
【０１２０】
次に、このように記録媒体に記録されたデータの再生を行う記録再生部１３の再生部は、図１７に示すようにパケットデータ伸長部８２，パケットヘッダ検出回路８３，制御回路８４，ＰＩＤレジスタ８５，一致検出回路８６に加え、伝送チャンネル内の番組ガイド情報を記憶するメモリ９５を有している。
【０１２１】
このような再生部には、入力端子８１を介して図１８（ｂ）に示すような圧縮されていない番組ガイド情報，番組Ａの番組データ，ヘッダ情報と共に圧縮された番組ガイド情報，番組Ｂの番組データの各パケット１〜４からなる伝送チャンネルが供給される。
【０１２２】
パケットヘッダ検出回路８３は、入力端子８１を介して供給された伝送チャンネルの各番組ガイド情報及び番組データに付されているヘッダ情報を検出し、この検出出力を一致検出回路８６に供給する。一致検出回路８６は、パケットヘッダ検出回路８３により検出されたヘッダ情報と、ＰＩＤレジスタ８５にロードされているユーザにより選択された番組データのヘッダ情報（この場合、番組Ａ及び番組Ｂのヘッダ情報）とを比較し、この比較出力を制御回路８４に供給する。
【０１２３】
制御回路８４は、前記両者が一致したことを示す比較出力が供給された場合は、入力端子８１を介して現在供給されているデータは番組Ａ或いは番組Ｂの番組データであることを示すため、これを伸長せずにそのまま出力するようにパケットデータ伸長部８２を制御する。
【０１２４】
また、前記両者が不一致であることを示す比較出力が最初に供給された場合は、入力端子８１を介して現在供給されているデータは圧縮されていない番組ガイド情報であることを示すため、制御回路８４は、この圧縮されていない番組ガイド情報をメモリ９６に記憶制御すると共に、伸長処理することなくそのまま出力するようにパケットデータ伸長回路８２を制御する。
【０１２５】
また、制御回路８４は、一度前記両者の不一致が検出された後は、次に両者の不一致が検出される毎に、メモリ９６に記憶された番組ガイド情報に基づいて、ヘッダ情報のみを伸長するようにパケットデータ伸長回路８２を制御する。
【０１２６】
これにより、図１８（ｄ）に示すように伝送チャンネルの最初のデータとして位置する番組ガイド情報及びそのヘッダ情報と、番組Ａの番組データ及びそのヘッダ情報と、圧縮されたままの番組ガイド情報及びそのヘッダ情報と、番組Ｂの番組データ及びそのヘッダ情報とをそれぞれ再生することができる。
【０１２７】
なお、最初の番組ガイド情報以外の番組ガイド情報は、再生されないわけであるが、最初の番組ガイド情報とそれ以降の番組ガイド情報の内容は同じであり、また、最初の番組ガイド情報以外の番組ガイド情報のヘッダ情報は再生されるため何等問題はない。
【０１２８】
以上の説明から明らかなように、当該第４の実施の形態の映像配信サービスシステムは、各番組データに多重化されて伝送される番組ガイド情報等の付加情報のうち、同じ内容のものは、最初（２番目或いは３番目でも可）のもの以外は、ヘッダ情報と共に圧縮して記録し、再生の際に、この圧縮された番組ガイド情報のヘッダ情報のみを伸長して再生する。これにより、重複した内容の番組ガイド情報を重複して記録する不都合を防止することができるため、記録媒体の記録効率の向上を図ることができる他、上述の第１の実施の形態の映像配信サービスシステムと同じ効果を得ることができる。
【０１２９】
なお、この第４の実施の形態の映像配信サービスシステムで説明した番組ガイド情報を記憶するメモリ９５は、図９に点線のブロックで示すようにメモリ９８として上述の第２の実施の形態の映像配信サービスシステムに設け、或いは図１４に点線のブロックで示すようにメモリ９９として上述の第３の実施の形態の映像配信サービスシステムに設けるようにしてもよい。これにより、この第４の実施の形態の映像配信サービスシステムと同様に、番組ガイド情報等の付加情報の重複記録を防止して記録媒体の記録領域を効率的に活用することができる。
【０１３０】
次に、本発明の第５の実施の形態の映像配信サービスシステムの説明をする。
【０１３１】
時分割多重されて伝送されるデータの中には、図１９（ａ）に示すように再生に必要な時間管理情報（ＰＣＲ）が特定の番組のパケットのアダプテーションフィールド（ＡＦ）と呼ばれるフィールドに付加されている。この時間管理情報は、そのデータ量自体が僅かであり、また、番組の全パケットに含まれているとは限らない。当然ながら、ユーザにより記録するように選択された番組に、必ずしも時間管理情報が付加されているとは限らない。
【０１３２】
このため、当該第５の実施の形態の映像配信サービスシステムでは、記録再生部１３の記録部の制御回路７４が、ユーザに記録が指定された番組に時間管理情報が付加されていない場合は、ユーザには指定されていないが、時間管理情報が付加されている番組のパケットについて、上述の各実施の形態の記録部のパケットヘッダ検出回路７３，ＰＩＤレジスタ７５及び一致検出回路７６により、入力されるパケット毎に時間管理情報が付加されているか否かを判別し、時間管理情報が付加されていない場合はそのパケットを不要なパケットとし、また、時間管理情報が付加されている場合はそのパケットデータのうち、例えばアダプテーションフィールドの部分を除いた残りの部分を不要データとする。
【０１３３】
そして、このパケットを、上述の各実施の形態で説明したように、データ圧縮処理或いはランレングス圧縮処理等を施して圧縮する。これにより、図１９（ｂ）に示すようユーザにより選択された番組（この場合は番組Ｂ）以外の番組をヘッダ情報及びアダプテーションフィールドを残して圧縮することができ、更なる記録効率の向上を図ることができる。
【０１３４】
次に、本発明の第６の実施の形態の映像配信サービスシステムの説明をする。
【０１３５】
時分割多重されて伝送される番組データの中には、予め暗号化されて伝送されるものがある。この暗号化された番組を視聴するには、同様にセンタ装置１から時分割多重されて伝送される番組視聴許諾管理情報に基づいて復号化する必要がある。この復号化のための情報（鍵）は、各加入者の端末装置２に応じて異なった情報が周期的に伝送されるようになっている。
【０１３６】
このため、当該第６の実施の形態の映像配信サービスシステムの記録再生部１３の制御回路７４は、パケットヘッダ検出回路７３，ＰＩＤレジスタ７５，一致検出回路７６により、番組視聴許諾管理情報のパケットを検出する。そして、このパケットが、受信及び記録再生に関するものであるか否か判別し、受信及び記録再生に関するものでない場合にのみ、そのパケットを不要なパケットとして、上述の各実施の形態で説明したように、データ圧縮処理或いはランレングス圧縮処理等を施して圧縮する。これにより、受信及び記録再生に関係のないパケットを圧縮して記録することができ、更なる記録効率の向上を図ることができる。
【０１３７】
最後に、上述の各実施の形態の説明は、本発明のほんの一例である。このため、本発明にかかる技術的思想を逸脱しない範囲であれば、設計等に応じて種々の変更が可能であることは勿論である。
【０１３８】
【発明の効果】
本発明に係る記録再生装置は、不要なデータは、ヘッダ情報を除いて圧縮して記録することができるため、不要なデータにより占有される記録媒体上の記録領域を最小限に抑えることができ、記録媒体上の記録領域を効率良く使用することができる。
【０１３９】
また、圧縮する不要なデータであっても、ヘッダ情報部分は圧縮せずに記録するようにしているため、元のヘッダ情報に付された時刻情報等を用いて、元のビット長さのデータを再生することができる。このため、新たな時刻情報を付加したヘッダ情報を形成して各データに付加する必要がなく、この新たな時刻情報を付加したヘッダ情報の形成，記録及びこのヘッダ情報が付されたデータの再生に必要としていた構成複雑な処理回路等を省略することができ、当該記録再生装置の回路規模の小型化及び低価格化を図ることができる。
【図面の簡単な説明】
【図１】本発明に係る記録再生装置が適用される第１の実施の形態の映像配信サービスシステムの全体のブロック図である。
【図２】前記第１の実施の形態の映像配信サービスシステムのセンタ装置側に設けられている番組配信センタのブロック図である。
【図３】前記番組配信センタに設けられている送信処理回路のブロック図である。
【図４】前記第１の実施の形態の映像配信サービスシステムのセンタ装置側に設けられている他の番組配信センタのブロック図である。
【図５】前記第１の実施の形態の映像配信サービスシステムの端末装置側に設けられているレシーバデコーダのブロック図である。
【図６】前記センタ装置側から伝送される伝送チャンネルの番組データ及び端末装置側で記録再生される伝送チャンネルの番組データを示す図である。
【図７】前記伝送チャンネルの番組データの記録を行う端末装置側の記録再生部に設けられている記録部のブロック図である。
【図８】前記記録部により記録された伝送チャンネルの番組データの再生を行う再生部のブロック図である。
【図９】本発明に係る記録再生装置が適用される第２の実施の形態の映像配信サービスシステムの端末装置側の記録再生部に設けられている記録部のブロック図である。
【図１０】前記第２の実施の形態の映像配信サービスシステムの端末装置側の記録再生部に設けられている再生部のブロック図である。
【図１１】前記第２の実施の形態の映像配信サービスシステムの端末装置側の記録部に設けられているテーブルの記録される各番組データのパケット識別子（ＰＩＤ）を示す図である。
【図１２】前記第２の実施の形態の映像配信サービスシステムの端末装置側の記録再生部で記録再生される各番組データを示す図である。
【図１３】本発明に係る記録再生装置が適用される第３の実施の形態の映像配信サービスシステムの端末装置側の記録再生部に設けられている記録部のブロック図である。
【図１４】前記第３の実施の形態の映像配信サービスシステムの端末装置側の記録再生部に設けられている再生部のブロック図である。
【図１５】前記第３の実施の形態の映像配信サービスシステムの端末装置側の記録再生部で記録再生される各番組データを示す図である。
【図１６】本発明に係る記録再生装置が適用される第４の実施の形態の映像配信サービスシステムの端末装置側の記録再生部に設けられている記録部のブロック図である。
【図１７】前記第４の実施の形態の映像配信サービスシステムの端末装置側の記録再生部に設けられている再生部のブロック図である。
【図１８】前記第４の実施の形態の映像配信サービスシステムの端末装置側の記録再生部で記録再生される各番組データを示す図である。
【図１９】本発明に係る記録再生装置が適用される第５の実施の形態の映像配信サービスシステムの端末装置側の記録再生部により記録再生される各番組データを示す図である。
【符号の説明】
１…センタ装置，２…端末装置，３…通信衛星，４…ソフト供給センタ
５…オペレーションセンタ，６…番組配信センタ，７…送信部
８…端末本体，９…テレビジョン受像機，１０…受信部
１１…電話／モデム，１２…レシーバデコーダ，１３…記録再生部
７２…パケットデータ圧縮回路，７３…パケットヘッダ検出回路
７４…制御回路，７５…ＰＩＤレジスタ，７６…一致検出回路
８２…パケットデータ伸長回路
【図１】
0003816196.tif 000002
【図２】
0003816196.tif 000003
【図３】
0003816196.tif 000004
【図４】
0003816196.tif 000005
【図５】
0003816196.tif 000006
【図６】
0003816196.tif 000007
【図７】
0003816196.tif 000008
【図８】
0003816196.tif 000009
【図９】
0003816196.tif 000010
【図１０】
0003816196.tif 000011
【図１１】
0003816196.tif 000012
【図１２】
0003816196.tif 000013
【図１３】
0003816196.tif 000014
【図１４】
0003816196.tif 000015
【図１５】
0003816196.tif 000016
【図１６】
0003816196.tif 000017
【図１７】
0003816196.tif 000018
【図１８】
0003816196.tif 000019
【図１９】
0003816196.tif 000020